(57)【要約】【課題】  シートベルトの確実な締結を検知するための方法、システム、コンピュータ・プログラム及び車両を提供する。【解決手段】  シートベルト・アセンブリ内の、識別情報を有するようにプログラムされた電子タグが、シートに組み込まれた電子デバイスを介してプログラムされた識別情報を読み取ることにより識別される。電子タグを識別することに応答して、乗員が乗員をシートに固定するようにシートベルト・アセンブリのシートベルトを締結していないと判断する。【選択図】      図３
2021505461.tif 000002
【特許請求の範囲】
【請求項１】
シートベルト・アセンブリ内の、識別情報を有するようにプログラムされた電子タグを、シートに組み込まれた電子デバイスを介して前記プログラムされた識別情報を読み取ることにより識別することと、
前記電子タグを識別することに応答して、乗員が前記乗員を前記シートに固定するように前記シートベルト・アセンブリのシートベルトを締結していないと判断することと、
を含む、方法。
【請求項２】
前記電子タグは、近距離無線通信（ＮＦＣ）タグであり、前記電子デバイスは、ＮＦＣ読取装置である、請求項１に記載の方法。
【請求項３】
前記方法は、
前記シートベルト・アセンブリのバックルに組み込まれたＮＦＣ読取装置により、前記シートベルト・アセンブリのタングに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項２に記載の方法。
【請求項４】
前記方法は、
前記シートベルト・アセンブリのタングに組み込まれたＮＦＣ読取装置により、前記シートベルト・アセンブリのバックルに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項２に記載の方法。
【請求項５】
前記方法は、
前記シートの背もたれの前面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項２に記載の方法。
【請求項６】
前記方法は、
前記シートの背もたれの後面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項２に記載の方法。
【請求項７】
前記方法は、
前記シートの背もたれに組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項２に記載の方法。
【請求項８】
識別情報を有するようにプログラムされ、シートベルト・アセンブリ内に取り付けられた電子タグと、
シートに組み込まれた、動作を実行する電子デバイスと、
を含み、前記動作は、
前記プログラムされた識別情報を読み取ることにより、前記電子タグを識別することと、
前記電子タグを識別することに応答して、乗員が前記乗員を前記シートに固定するように前記シートベルト・アセンブリのシートベルトを締結していないと判断することと、
を含む、システム。
【請求項９】
前記電子タグは、近距離無線通信（ＮＦＣ）タグであり、前記電子デバイスは、ＮＦＣ読取装置である、請求項８に記載のシステム。
【請求項１０】
前記動作は、
前記シートベルト・アセンブリのバックルに組み込まれたＮＦＣ読取装置により、前記シートベルト・アセンブリのタングに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項９に記載のシステム。
【請求項１１】
前記動作は、
前記シートベルト・アセンブリのタングに組み込まれたＮＦＣ読取装置により、前記シートベルト・アセンブリのバックルに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項９に記載のシステム。
【請求項１２】
前記動作は、
前記シートの背もたれの前面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項９に記載のシステム。
【請求項１３】
前記動作は、
前記シートの背もたれの後面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項９に記載のシステム。
【請求項１４】
前記動作は、
前記シートの背もたれに組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項９に記載のシステム。
【請求項１５】
コンピュータ可読プログラム・コードが具体化されたコンピュータ可読ストレージ媒体を含むコンピュータ・プログラム製品であって、前記コンピュータ可読プログラム・コードは、プロセッサ上で動作を実行するように構成され、前記動作は、
シートベルト・アセンブリ内の、識別情報を有するようにプログラムされた電子タグを、シートに組み込まれた電子デバイスを介して前記プログラムされた識別情報を読み取ることにより識別することと、
前記電子タグを識別することに応答して、乗員が前記乗員を前記シートに固定するように前記シートベルト・アセンブリのシートベルトを締結していないと判断することと、を含む、コンピュータ・プログラム製品。
【請求項１６】
前記電子タグは、近距離無線通信（ＮＦＣ）タグであり、前記電子デバイスは、ＮＦＣ読取装置である、請求項１５に記載のコンピュータ・プログラム製品。
【請求項１７】
前記動作は、
前記シートベルト・アセンブリのバックルに組み込まれたＮＦＣ読取装置により、前記シートベルト・アセンブリのタングに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項１６に記載のコンピュータ・プログラム製品。
【請求項１８】
前記動作は、
前記シートベルト・アセンブリのタングに組み込まれたＮＦＣ読取装置により、前記シートベルト・アセンブリのバックルに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項１６に記載のコンピュータ・プログラム製品。
【請求項１９】
前記動作は、
前記シートの背もたれの前面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項１６に記載のコンピュータ・プログラム製品。
【請求項２０】
前記動作は、
前記シートの背もたれの後面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項１６に記載のコンピュータ・プログラム製品。
【請求項２１】
前記動作は、
前記シートの背もたれに組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項１６に記載のコンピュータ・プログラム製品。
【請求項２２】
メモリと、
前記メモリに結合されたプロセッサと、
を含み、前記プロセッサは動作を実行し、前記動作は、
シートベルト・アセンブリ内の、識別情報を有するようにプログラムされた電子タグを、シートに組み込まれた電子デバイスを介して前記プログラムされた識別情報を読み取ることにより識別することと、
前記電子タグを識別することに応答して、乗員が前記乗員を前記シートに固定するように前記シートベルト・アセンブリのシートベルトを締結していないと判断することと、
を含む、システム。
【請求項２３】
前記電子タグは、近距離無線通信（ＮＦＣ）タグであり、前記電子デバイスは、ＮＦＣ読取装置である、請求項２２に記載のシステム。
【請求項２４】
シートと、
前記シートと組み合わされたシートベルト・アセンブリと、
識別情報を有するようにプログラムされ、前記シートベルト・アセンブリ内に取り付けられた電子タグと、
前記シートに組み込まれた、動作を実行する電子デバイスと、
を含み、前記動作は、
前記プログラムされた識別情報を読み取ることにより、前記電子タグを識別することと、
前記電子タグを識別することに応答して、乗員が前記乗員を前記シートに固定するように前記シートベルト・アセンブリのシートベルトを締結していないと判断することと、
を含む、車両。
【請求項２５】
前記電子タグは、近距離無線通信（ＮＦＣ）タグであり、前記電子デバイスは、ＮＦＣ読取装置である、請求項２４に記載の車両。
【発明の詳細な説明】
【技術分野】
【０００１】
実施形態は、シートベルトの確実な締結を検知するための方法、システム及びコンピュータ・プログラム製品に関する。
【背景技術】
【０００２】
シートベルト・システムは、衝突又は急停止の際に生じ得る動きから車両の乗員を守るための車両安全デバイスである。シートベルト・システムのシートベルトは、適切に締結された場合、衝突の際にシートの乗員の動きを制限する。シートの乗員が、衝突の際に車両内で放出され、投げ出されるのが防止され、その結果、車両の内部要素との衝突が原因で負傷する可能性が低減する。
【０００３】
シートベル・システムは、タング及びバックルも含む。タングは、シートベルトに取り付けられたシートベルト・システムの部分である。タングはバックルに嵌合してシートベルトを固定する。バックルは、タングを固定及び解放するシートベルト・システムの部分である。
【０００４】
近距離無線通信（Near-field Communication、ＮＦＣ）は、２つの電子デバイスが互いに所定の距離（例えば、１０ｃｍ）内にあるとき、２つの電子デバイスが通信を確立するのを可能にする無線通信プロトコルのセットである。例えば、ステッカー又はリストバンドなどのＮＦＣ対応タグ（ＮＦＣタグと呼ばれる）は、情報を格納できる１つ又は複数のマイクロチップを含むことができる。ＮＦＣタグは、情報を有するようにプログラムされ、ＮＦＣ読取装置及びＮＦＣタグが、ＮＦＣ範囲とも呼ばれる所定の距離内にあるとき、ＮＦＣ読取装置により、ＮＦＣタグ内に格納された情報を読み取ることができる。
【発明の概要】
【発明が解決しようとする課題】
【０００５】
シートベルトの確実な締結を検知するための方法、システム、コンピュータ・プログラム及び車両を提供する。
【課題を解決するための手段】
【０００６】
シートベルト・アセンブリ内の、識別情報を有するようにプログラムされた電子タグを、シートに組み込まれた電子デバイスを介してプログラムされた識別情報を読み取ることにより、識別する方法、システム、コンピュータ・プログラム製品、及び車両が提供される。電子タグを識別することに応答して、乗員が乗員をシートに固定するようにシートベルト・アセンブリのシートベルトを締結していないと判断する。
【０００７】
付加的な実施形態において、電子タグは、近距離無線通信（ＮＦＣ）タグであり、電子デバイスは、ＮＦＣ読取装置である。
【０００８】
さらに別の実施形態において、シートベルト・アセンブリのバックルに組み込まれたＮＦＣ読取装置により、シートベルト・アセンブリのタングに組み込まれたＮＦＣタグが識別されなかったと判断することに応答して、乗員が乗員をシートに固定するようにシートベルト・アセンブリのシートベルトを締結していないと判断する。
【０００９】
さらに付加的な実施形態において、シートベルト・アセンブリのタングに組み込まれたＮＦＣ読取装置により、シートベルト・アセンブリのバックルに組み込まれたＮＦＣタグが識別されなかったと判断することに応答して、乗員が乗員をシートに固定するようにシートベルト・アセンブリのシートベルトを締結していないと判断する。
【００１０】
特定の実施形態において、シートの背もたれの前面の１ｃｍ以内に組み込まれたＮＦＣ読取装置により、シートベルト・アセンブリのシートベルト内に取り付けられたＮＦＣタグが識別されたと判断することに応答して、乗員が乗員をシートに固定するようにシートベルト・アセンブリのシートベルトを締結していないと判断する。
【００１１】
さらに別の実施形態において、シートの背もたれの後面の１ｃｍ以内に組み込まれたＮＦＣ読取装置により、シートベルト・アセンブリのシートベルト内に取り付けられたＮＦＣタグが識別されたと判断することに応答して、乗員が乗員をシートに固定するようにシートベルト・アセンブリのシートベルトを締結していないと判断する。
【００１２】
付加的な実施形態において、シートの背もたれに組み込まれたＮＦＣ読取装置により、シートベルト・アセンブリのシートベルト内に取り付けられたＮＦＣタグが識別されたと判断することに応答して、乗員が乗員をシートに固定するようにシートベルト・アセンブリのシートベルトを締結していないと判断する。
【００１３】
ここで、図面を参照し、そこでは全体を通して同様の参照番号が対応する部品を表す。
【図面の簡単な説明】
【００１４】
【図１】特定の実施形態による、シートベルトが確実に締結されているかどうかを判断するシステムのコンポーネントを示すブロック図を示す。
【図２】特定の実施形態による、シートベルト・アセンブリのコンポーネントを示すブロック図を示す。
【図３】特定の実施形態による、ＮＦＣタグ及び読取装置の例示的構成のブロック図を示す。
【図４】特定の実施形態による、ＮＦＣタグ及び読取装置の例示的構成のブロック図を示す。
【図５】特定の実施形態による、シートベルトが確実に締結されていない状況を示すブロック図を示す。
【図６】特定の実施形態による、シートベルトの確実な締結を検知するための動作を示す第１のフローチャートを示す。
【図７】特定の実施形態による、シートベルトの確実な締結を検知するための動作を示す第２のフローチャートを示す。
【図８】特定の実施形態による、クラウド・コンピューティング環境のブロック図を示す。
【図９】特定の実施形態による、図８のクラウド・コンピューティング環境の更なる詳細のブロック図を示す。
【図１０】特定の実施形態による、図１〜図９に説明されるシステムのコンポーネント内に含まれ得る特定の要素を示すシステムのブロック図を示す。
【発明を実施するための形態】
【００１５】
以下の説明において、その一部を形成し、幾つかの実施形態を例証する添付図面を参照する。他の実施形態を利用して、構造上及び動作上の変更を行い得ることを理解されたい。
【００１６】
自動車事故は、負傷及び死亡の主な原因の１つである。自動車事故において、シートベルトの使用により、負傷及び死亡のリスクが実質的に減少し得る。車両の乗員に、シートベルトを締結するよう注意喚起するために（例えば、可聴表示により又はディスプレイ表示により）、幾つかの機構が使用されている。しかしながら、こうした注意喚起にもかかわらず、シートベルトの締結を故意に避ける乗員もいる。
【００１７】
注意喚起を与えるための幾つかの既存の機構は、シートにかかる圧力により（例えば、着座（seat occupancy）検知器を介して）及びタングがバックルに正しく挿入されたことを検証することにより、作動させることができる。さもなければ、大きな音を発すること及びダッシュボードのライトを作動させることができる。特定の他の既存の機構は、シートベルトの張力検出に基づいて、注意喚起を与えることができる。
【００１８】
現在利用されている機構を迂回するより一般的な方法の幾つかとして、（１）いずれのシートベルトにもつながれていないタング（通常、別個に販売されている又は別の車から取り出される）を取得し、取得したタングをバックルに挿入すること、（２）シートベルトを締結し、次に、締結したシートベルトの上に座ること、及び（３）シートベルトをシートの後ろに巻き付け、次に、シートベルトを締結することが挙げられる。
【００１９】
特定の実施形態は、ＮＦＣタグ及びＮＦＣ読取装置を用いて、シートベルトが適切に締結されたかどうかを検知するための機構を提供する。
【００２０】
例示的な実施形態
図１は、少なくともシートベルト・アセンブリ１０２及びシート１０４で構成され得るシステム１００のブロック図を示す。シートベルト・アセンブリ１０２及びシート１０４は、自動車、トラック、バス等のような車両のコンポーネントとすることができる。特定の代替的な実施形態において、シートベルト・アセンブリ１０２及びシート１０４は、船、航空機、又はシートベルトを装備した何らかの他のモードの乗り物のコンポーネントとすることができる。
【００２１】
シートベルト・アセンブリ１０２は、シートベルト（ウェビング（webbing）とも呼ばれる）１０６、タング１０８、及びバックル１１０で構成され得る。タング１０８は、シートベルト１０６に取り付けられ、車両の乗員又は乗客は、シートベルト１０６を締結するために、タング１０８をバックル１１０に挿入することができる。
【００２２】
１つ又は複数のＮＦＣタグ１１２、１１４をシートベルト１０６上に取り付けることができる。シートベルト１０６上へのＮＦＣタグ１１２、１１４の取り付けは、ＮＦＣタグ１１２、１１４をシートベルト１０６に組み込むことによって、又はＮＦＣタグ１１２、１１４をシートベルト１０６に取り付けることによって、又は他の何らかの機構を介して、実行することができる。組み込む（embedding）という用語は、要素の内部又は外部に取り付けることを含むことができる。ＮＦＣタグ１１６は、タング１０８に組み込むことができ、ＮＦＣ読取装置１１８は、バックル１１０に組み込むことができる。代替的な実施形態において、ＮＦＣタグ１１６は、バックル１１０内に取り付けることができ、ＮＦＣ読取装置１１８は、タング１０８内に取り付けることができる。
【００２３】
シート１０４は、該シート１０４上に座る人の背を支持する背もたれ（backrest）を有する。背もたれは、車両の前部に向いた前側１２０を有する。背もたれは、車両の後部に向いた後側１２２を有する。ＮＦＣ読取装置１２４は、背もたれの前側１２０に組み込まれ、ＮＦＣ読取装置１２６は、背もたれの後側１２２に組み込まれる。
【００２４】
ＮＦＣタグ１１２、１１４、１１６の各々は、ＮＦＣ読取装置により読み取られると、ＮＦＣ読取装置がＮＦＣタグを識別するのを可能にする識別情報（例えば、番号、文字のシーケンス、コード等）を有するようにプログラムされる。ＮＦＣ読取装置が、該ＮＦＣ読取装置が予期していなかったＮＦＣタグの識別情報を読み取った場合、ＮＦＣ読取装置、又はＮＦＣ読取装置とインターフェース接続する計算デバイスは、予期しないＮＦＣタグがＮＦＣ読取装置の近傍にあると判断することができる。
【００２５】
システム１００は、特定の実施形態において、ソフトウェア、ファームウェア、ハードウェア、又はそのいずれかの組み合わせの形で実装されるシートベルト検証アプリケーション１３０を実行する計算デバイス１２８を含むこともできる。特定の実施形態において、計算デバイス１２８は、シートベルト・アセンブリ１０２及びシート１０４の外にある。特定の実施形態において、ＮＦＣ読取装置１１８、１２４、１２６の各々は、計算デバイスの動作の多くを実行する、又は計算デバイスの要素を含む。計算デバイス１２８は、パーソナル・コンピュータ、ワークステーション、サーバ、メインフレーム、手持ち式コンピュータ、パームトップ・コンピュータ、電話装置、ネットワーク・アプライアンス、ブレード・コンピュータ、処理デバイス、車両用コントローラ等のような、現在当技術分野において知られているものを含む任意の適切な計算デバイスを含むことができる。計算デバイス１２８は、システム１００のコンポーネントとインターフェース接続することができ、システム１００のコンポーネントの特定の動作を制御することができ、また、シートベルト・アセンブリ１０２及びシート１０４が取り付けられる車両の動きを制御する動作を実行することもできる。
【００２６】
図２は、特定の実施形態による、シートベルト・アセンブリ１０２のコンポーネントを示すブロック図２００を示す。図２において、図１のシートベルト１０６のブロック図に対応する例示的シートベルト２０２が示される。また、図２において、図１のタング１０８のブロック図に対応する例示的タング２０４も示される。さらに、図２において、図１のバックル１１０のブロック図に対応する例示的バックル２０６も示される。バックル２０６内にＮＦＣ読取装置２０８が示され、タング２０４内にＮＦＣタグ２１０が示される。
【００２７】
図２のブロック２１２は、シートベルト２０２を締結するために、タング２０４がバックル２０６に挿入されることを示す。
【００２８】
図３は、特定の実施形態による、ＮＦＣタグ及び読取装置の例示的構成のブロック図３００を示す。
【００２９】
ＮＦＣタグ３０２（これらは受動デバイスであるので、ＮＦＣ受動タグと呼ばれる）が、シートベルト３０４内に取り付けられる。ＮＦＣタグが、タングに組み込まれるように示される（参照番号３０６により）。ＮＦＣ読取装置が、バックルに組み込まれるように示される（参照番号３０８により）。
【００３０】
図３において、ＮＦＣ読取装置は、シート背もたれの前面の下に組み込まれた状態で示される（参照番号３１０により）。ＮＦＣ読取装置は、シート背もたれの前面のできるだけ近くに（例えば、ＮＦＣ範囲が１０ｃｍを下回る場合、シート背もたれの前面の１ｃｍ以内に）組み込むことができる。乗員がタングをバックルに締結し、シートベルト３０４上に座った場合、１つ又は複数のＮＦＣタグ３０２の近接性により、シート前部のＮＦＣ読取装置が、１つ又は複数のＮＦＣタグ３０２の識別情報を読み取ることが可能になり、シートの乗員は、締結したシートベルトにより拘束されているのではなく、締結したシートベルトの上に座っているので、シートベルトは確実に締結されていないと判断することができる。
【００３１】
図４は、特定の実施形態による、ＮＦＣタグ及び読取装置の例示的構成のブロック図４００を示す。
【００３２】
ＮＦＣタグ４０２（これらは受動デバイスであるので、ＮＦＣ受動タグと呼ばれる）は、シートベルト４０４内に取り付けられる。ＮＦＣタグは、タングに組み込まれるように示される（参照番号４０６により）。ＮＦＣ読取装置は、バックルに組み込まれるように示される（参照番号４０８により）。
【００３３】
図４において、ＮＦＣ読取装置が、シート背もたれの後面の下に組み込まれた状態で示される（参照番号４１０により）。ＮＦＣ読取装置は、シート背もたれの後面のできるだけ近くに（例えば、ＮＦＣ範囲が１０ｃｍを下回る場合、シート背もたれの後面の１ｃｍ以内に）組み込まれ得る。乗員が、シートベルトをシートの背もたれの背後に巻き付けることによってタングをバックルに締結した場合、１つ又は複数のＮＦＣタグ４０２の近接性により、シートの背もたれの後部のＮＦＣ読取装置が、１つ又は複数のＮＦＣタグ４０２の識別を読み取ることが可能になり、シートベルトは、シートベルトをシートの背もたれの背後に巻き付けることによって締結されているので、シートベルトは確実に締結されていないと判断することができる。
【００３４】
図５は、特定の実施形態による、シートベルトが確実に締結されていない状況を示すブロック図５００を示す。
【００３５】
正しいタングとバックルの組み合わせが用いられていることを識別するために、タングに組み込まれたＮＦＣタグが、バックル内のＮＦＣ読取装置により読み取られない場合、シートベルトは確実に締結されていない（参照番号５０２、５０８、５１０により示される）。こうした状況は、乗員が、シートベルト・アセンブリ１０２のタング又はバックルの代わりに用いるのに、別の自動車のタング又はバックルを使用した場合に生じ得る。
【００３６】
シートの背もたれの前部のＮＦＣ読取装置により、シートベルト内に取り付けられたＮＦＣタグが読み取られた場合、シートベルトは確実に締結されていない（参照番号５０４、５０８、５１０により示される）。こうした状況は、乗員が、シートベルトを締結したが、シートベルトを乗員の身体の上に巻き付ける代わりに、シートベルトの上に座っている場合に生じ得る。
【００３７】
シートの背もたれの後部のＮＦＣ読取装置により、シートベルト内に取り付けられたＮＦＣタグが読み取られた場合、シートベルトは確実に締結されていない（参照番号５０６、５０８、５１０により示される）。こうした状況は、乗員が、シートベルトを乗員の身体の上に巻き付ける代わりに、シートベルトをシートの後部の背後に巻き付けることによりシートベルトを締結した場合に生じ得る。
【００３８】
図６は、特定の実施形態による、確実に締結されたシートベルトを検知するための動作を示すフローチャート６００を示す。
【００３９】
制御は、シート１０４に着座していることをシステム（例えば、システム１００）が検証する（例えば、圧力センサが、シート上に着座している乗員に対応する適切な重量を検知するかどうかを判断することにより）ブロック６０２において開始する。次に、システムは、タングの挿入を検証するプロセスを開始する（ブロック６０４において）。ブロック６０６において、システムは、バックル１１０のＮＦＣ読取装置１１８により、タングのＮＦＣタグ１１６が読み取られるかどうかを判断し、ＮＦＣタグ１１６の識別情報がＮＦＣ読取装置１１８によって予想される識別情報と合致するかどうかを判断する。読み取られない場合（「いいえ」分岐６０８）、制御はブロック６１０に進み、そこで、シートベルトが不適切に締結されていると判断される。
【００４０】
ブロック６０６において、ＮＦＣタグ１１６の識別情報が、ＮＦＣ読取装置１１８によって予想される識別情報と合致すると判断された場合（「はい」分岐６１２）、次に、制御はブロック６１４に進み、そこで、システムは、シートの前部のＮＦＣ読取装置１２４により、シートベルト上のいずれかのＮＦＣタグ１１２、１１４が読み取られるかどうかを判断する。読み取られる場合（「はい」分岐６１６）、制御はブロック６１０に進み、シートベルトが不適切に締結されていると判断される。
【００４１】
ブロック６１４において、システムが、シートの前部のＮＦＣ読取装置１２４により、シートベルト上のＮＦＣタグ１１２、１１４が読み取られないと判断する場合（「いいえ」分岐６１８）、次に、制御はブロック６２０に進み、そこで、システムは、シートの後部のＮＦＣ読取装置１２６により、シートベルト１０６上のいずれかのＮＦＣタグ１１２、１１４が読み取られるかどうかを判断する。読み取られる場合（「はい」分岐６２２）、制御はブロック６１０に進み、シートベルトが不適切に締結されていると判断される。
【００４２】
ブロック６２０において、システムが、シートの後部のＮＦＣ読取装置１２６により、シートベルト上のＮＦＣタグ１１２、１１４が読み取られないと判断した場合（「いいえ」分岐６２４）、次に、制御は６２６に進み、そこで、システムは、シートベルトが適切に締結されていると判断する。
【００４３】
従って、図６は、シートの乗員が、タングの検証（ブロック６０６における）、シート前部の検証（ブロック６１４における）及びシート後部の検証（ブロック６２０における）に基づいて、シートベルトを正しく又は不適切に（すなわち、確実に又は不確実に）締結されたかどうかをシステムが判断する、特定の実施形態を示す。
【００４４】
図７は、特定の実施形態による、確実に締結されたシートベルトを検知するための動作を示す第２のフローチャート７００を示す。
【００４５】
制御はブロック７０２で始まり、そこで、識別情報を有するようにプログラムされた電子タグ（例えば、ＮＦＣタグ）がシートベルト・アセンブリ内に取り付けられる。シートに組み込まれた電子デバイスを介してプログラムされた識別情報を読み取ることにより、シートベルト・アセンブリ内の電子タグが識別され（ブロック７０４）、乗員が乗員をシートに固定するようにシートベルト・アセンブリのシートベルトを締結していないと判断する（ブロック７０６において）。
【００４６】
従って、図１〜図７は、シートベルトの良好な使用を検知するためのシステムを提供し、シートは、シートにかかる圧力を検知するセンサ（着座検知器（seat occupancy detector））と、雄型バックル端部（例えば、タング）が雌型バックル端部（例えば、バックル）に正しく挿入されているかを検知するサブシステムとを有する、特定の実施形態を示す。システムは、雄型コネクタ（すなわち、タング）検証サブシステムを含むことができる。一意の識別子を組み込むＮＦＣタグを有する雄型コネクタが、雌型コネクタ（すなわち、バックル）に挿入される。バックルは、ＮＦＣタグの識別子を読み取り、ＮＦＣタグが、これと対をなすタングに属するかどうかを検証することができる。このバックル・タングの対の判断は、留められていない（loose）余分なタングがバックルに挿入されないことを保証する。
【００４７】
システムは、シート後部の否定的検証（negative validation）サブシステムを含むことができる。ベルトは、ベルトに組み込まれた（例えば、ベルトの上に縫い付けられた、又はベルトの内部に配置された）幾つかのＮＦＣタグを有するが、ＮＦＣ読取装置は、シート後部の内部に配置される。シートベルトがシートの後部上に置き間違えられない限り、ＮＦＣ読取装置は、いずれのＮＦＣタグを読み取ることも想定されない。従って、検証に合格するために、システムは、否定的結果をもたらす必要がある。このことは、ユーザが、シートとシートベルトとの間に自分の身体を置いたことを保証する。
【００４８】
システムは、シート前部の否定的検証サブシステムを含むことができる。ＮＦＣ読取装置は、シートの前側の内部にも配置される（それが十分に強力である場合、同じＮＦＣ読取装置をシート後部及び前部検証の両方のために使用することができる）。シートベルトが正しく締結されている場合、身体により、ＮＦＣ読取装置がいずれかのＮＦＣタグを読み取ることが防止される。この検証は、人がシートベルトを締結し、次にシートベルトの上に座るのを阻止する有効な方法である。
【００４９】
クラウド・コンピューティング環境
クラウド・コンピューティングは、最小限の管理労力又はサービス・プロバイダとの対話で迅速にプロビジョニング及び解放することができる構成可能なコンピューティング・リソース（例えば、ネットワーク、サーバ、ストレージ、アプリケーション及びサービス）の共有プールへの、便利なオンデマンドのネットワーク・アクセスを可能にするためのモデルである。
【００５０】
ここで図８を参照すると、例示的クラウド・コンピューティング環境５０が示される。示されるように、クラウド・コンピューティング環境５０は、例えば、携帯情報端末（ＰＤＡ）又は携帯電話５４Ａ、デスクトップ・コンピュータ５４Ｂ、ラップトップ・コンピュータ５４Ｃ、及び／又は自動車コンピュータ・システム５４Ｎなどといった、クラウド・コンシューマによって用いられるローカル・コンピューティング・デバイスと通信できる１つ又は複数のクラウド・コンピューティング・ノード１０を含む。ノード１０は、互いに通信することができる。これらのノードは、プライベート・クラウド、コミュニティ・クラウド、パブリック・クラウド、若しくはハイブリッド・クラウド、又はこれらの組み合わせなど、１つ又は複数のネットワークにおいて物理的又は仮想的にグループ化することができる（図示せず）。これにより、クラウド・コンピューティング環境５０が、クラウド・コンシューマがローカル・コンピューティング・デバイス上にリソースを保持する必要のないサービスとして、インフラストラクチャ、プラットフォーム、及び／又はソフトウェアを提供することが可能になる。図８に示されるコンピューティング・デバイス５４Ａ〜Ｎのタイプは単に例示であることを意図し、コンピューティング・ノード１０及びクラウド・コンピューティング環境５０は、任意のタイプのネットワーク及び／又はネットワーク・アドレス指定可能な接続上で（例えば、ウェブ・ブラウザを用いて）、任意のタイプのコンピュータ化されたデバイスと通信できることを理解されたい。
【００５１】
ここで図９を参照すると、クラウド・コンピューティング環境５０（図８）によって提供される機能抽象化層のセットが示される。図９に示されるコンポーネント、層、及び機能は単に例示であることを意図し、本発明の実施形態はそれらに限定されないことを予め理解されたい。
【００５２】
ハードウェア及びソフトウェア層６０は、ハードウェア及びソフトウェア・コンポーネントを含む。ハードウェア・コンポーネントの例として、ＩＢＭ  ｚＳｅｒｉｅｓ（商標）システムを一例とするメインフレームと、ＩＢＭ  ｐＳｅｒｉｅｓ（商標）システムを一例とするＲＩＳＣ（Reduced Instruction Set Computer（縮小命令セット・コンピュータ））アーキテクチャ・ベースのサーバと、ＩＢＭ  ｘＳｅｒｉｅｓ（商標）システムと、ＩＢＭ  ＢｌａｄｅＣｅｎｔｅｒ（商標）システムと、ストレージ・デバイスと、ネットワーク及びネットワーク・コンポーネントと、が含まれる。ソフトウェア・コンポーネントの例として、ＩＢＭ  ＷｅｂＳｐｈｅｒｅ（商標）アプリケーション・サーバ・ソフトウェアを一例とするネットワーク・アプリケーション・サーバ・ソフトウェアと、ＩＢＭ  ＤＢ２（商標）データベース・ソフトウェアを一例とするデータベース・ソフトウェアとが含まれる。
【００５３】
仮想化層６２は、抽象化層を提供し、この層により、仮想エンティティの以下の例、すなわち、仮想サーバ、仮想ストレージ、仮想プライベート・ネットワークを含む仮想ネットワーク、仮想アプリケーション及びオペレーティング・システム、並びに仮想クライアントを提供することができる。
【００５４】
一例において、管理層６４は、以下で説明される機能を提供することができる。リソース・プロビジョニングは、クラウド・コンピューティング環境内でタスクを実行するために利用されるコンピューティング・リソース及び他のリソースの動的な調達を提供する。計量及び価格決定は、クラウド・コンピューティング環境内でリソースが利用される際のコスト追跡と、これらのリソースの消費に対する課金又は請求とを提供する。一例においては、これらのリソースは、アプリケーション・ソフトウェア・ライセンスを含むことができる。セキュリティは、クラウド・コンシューマ及びタスクに対する識別情報の検証と、データ及び他のリソースに対する保護とを提供する。ユーザ・ポータルは、コンシューマ及びシステム管理者のために、クラウド・コンピューティング環境へのアクセスを提供する。サービス・レベル管理は、要求されるサービス・レベルが満たされるように、クラウド・コンピューティング・リソースの割り当て及び管理を提供する。サービス・レベル・アグリーメント（Service Level Agreement、ＳＬＡ）の計画及び履行は、ＳＬＡに従って将来の要件が予測されるクラウド・コンピューティング・リソースの事前配置及び調達を提供する。
【００５５】
ワークロード層６６は、クラウド・コンピューティング環境を利用することができる機能の例を提供する。この層から提供することができるワークロード及び機能の例として、マッピング及びナビゲーション、ソフトウェア開発及びライフサイクル管理、仮想教室教育配信、データ分析処理、トランザクション処理、及び図１〜図８に示される確実なシートベルト締結検知６８が挙げられる。
【００５６】
付加的な実施形態の詳細
説明した動作は、ソフトウェア、ファームウェア、ハードウェア、又はこれらの任意の組み合わせを生成するための標準的プログラミング及び／又はエンジニアリング技法を用いて、方法、装置、又はコンピュータ・プログラム製品として実装することができる。従って、実施形態の態様は、完全にハードウェアの実施形態、完全にソフトウェアの実施形態（ファームウェア、常駐ソフトウェア、マイクロコード等を含む）、又はソフトウェア態様とハードウェア態様とを組み合せた実施形態の形をとることができ、これらは、本明細書において全て一般的に「回路」、「モジュール」又は「システム」と呼ぶことができる。さらに、実施形態の態様は、コンピュータ・プログラム製品の形をとることができる。コンピュータ・プログラム製品は、プロセッサに本実施形態の態様を実施させるためのコンピュータ可読プログラム命令をその上に有するコンピュータ可読ストレージ媒体（単数又は複数）を含むことができる。
【００５７】
コンピュータ可読ストレージ媒体は、命令実行デバイスにより使用される命令を保持及び格納することができる有形デバイスとすることができる。コンピュータ可読ストレージ媒体は、例えば、これらに限定されるものではないが、電子記憶装置、磁気記憶装置、光学記憶装置、電磁気記憶装置、半導体記憶装置、又は上記のいずれかの適切な組み合わせとすることができる。コンピュータ可読ストレージ媒体のより具体的な例の非網羅的なリストとして、以下のもの：すなわち、ポータブル・コンピュータ・ディスケット、ハードディスク、ランダム・アクセス・メモリ（ＲＡＭ）、読み出し専用メモリ（ＲＯＭ）、消去可能プログラム可能読み出し専用メモリ（ＥＰＲＯＭ又はフラッシュ・メモリ）、スタティック・ランダム・アクセス・メモリ（ＳＲＡＭ）、ポータブル・コンパクト・ディスク読み出し専用メモリ（ＣＤ−ＲＯＭ）、デジタル多用途ディスク（ＤＶＤ）、メモリ・スティック、フロッピー・ディスク、パンチカード若しくは命令がそこに記録された溝内の隆起構造のような機械的にエンコードされたデバイス、及び上記のいずれかの適切な組み合わせが挙げられる。本明細書で使用される場合、コンピュータ可読ストレージ媒体は、電波、又は他の自由に伝搬する電磁波、導波管若しくは他の伝送媒体を通じて伝搬する電磁波（例えば、光ファイバ・ケーブルを通る光パルス）、又はワイヤを通って送られる電気信号などの、一時的信号自体として解釈されない。
【００５８】
本明細書で説明されるコンピュータ可読プログラム命令は、コンピュータ可読ストレージ媒体からそれぞれのコンピューティング／処理デバイスに、又は、例えばインターネット、ローカル・エリア・ネットワーク、広域ネットワーク、及び／又は無線ネットワークなどのネットワークを介して外部コンピュータ又は外部ストレージ・デバイスにダウンロードすることができる。ネットワークは、銅伝送ケーブル、光伝送ファイバ、無線伝送、ルータ、ファイアウォール、スイッチ、ゲートウェイ・コンピュータ、及び／又はエッジ・サーバを含むことができる。各コンピューティング／処理デバイスにおけるネットワーク・アダプタ・カード又はネットワーク・インターフェースは、ネットワークからコンピュータ可読プログラム命令を受け取り、コンピュータ可読プログラム命令を転送して、それぞれのコンピューティング／処理デバイス内のコンピュータ可読ストレージ媒体内に格納する。
【００５９】
本実施形態の動作を実行するためのコンピュータ可読プログラム命令は、アセンブラ命令、命令セット・アーキテクチャ（ＩＳＡ）命令、マシン命令、マシン依存命令、マイクロコード、ファームウェア命令、状態設定データ、又は、Ｓｍａｌｌｔａｌｋ、Ｃ＋＋などのオブジェクト指向プログラミング言語、及び、「Ｃ」プログラミング言語若しくは類似のプログラミング言語などの通常の手続き型プログラミング言語を含む１つ又は複数のプログラミング言語の任意の組み合わせで記述することができる。コンピュータ可読プログラム命令は、完全にユーザのコンピュータ上で実行される場合もあり、一部がユーザのコンピュータ上で、独立型ソフトウェア・パッケージとして実行される場合もあり、一部がユーザのコンピュータ上で実行され、一部が遠隔コンピュータ上で実行される場合もあり、又は完全に遠隔コンピュータ若しくはサーバ上で実行される場合もある。最後のシナリオにおいて、遠隔コンピュータは、ローカル・エリア・ネットワーク（ＬＡＮ）若しくは広域ネットワーク（ＷＡＮ）を含むいずれかのタイプのネットワークを通じてユーザのコンピュータに接続される場合もあり、又は外部コンピュータへの接続がなされる場合もある（例えば、インターネット・サービス・プロバイダを用いたインターネットを通じて）。幾つかの実施形態において、例えば、プログラム可能論理回路、フィールド・プログラマブル・ゲート・アレイ（ＦＰＧＡ）、又はプログラム可能論理アレイ（ＰＬＡ）を含む電子回路は、本発明の態様を実施するために、コンピュータ可読プログラム命令の状態情報を利用することによって、コンピュータ可読プログラム命令を実行して、電子回路を個別化することができる。
【００６０】
本発明の態様は、本発明の実施形態による方法、装置（システム）及びコンピュータ・プログラム製品のフローチャート図及び／又はブロック図を参照して説明される。フローチャート図及び／又はブロック図の各ブロック、並びにフローチャート図及び／又はブロック図内のブロックの組み合わせは、コンピュータ可読プログラム命令によって実装できることが理解されるであろう。
【００６１】
これらのコンピュータ可読プログラム命令を、汎用コンピュータ、専用コンピュータ、又は他のプログラム可能データ処理装置のプロセッサに与えて機械を製造し、それにより、コンピュータ又は他のプログラム可能データ処理装置のプロセッサによって実行される命令が、フローチャート及び／又はブロック図の１つ又は複数のブロック内で指定された機能／動作を実施するための手段を作り出すようにすることができる。これらのコンピュータ・プログラム命令を、コンピュータ、他のプログラム可能データ処理装置、及び／又は他のデバイスを特定の方式で機能させるように指示することができるコンピュータ可読媒体内に格納し、それにより、そのコンピュータ可読媒体内に格納された命令が、フローチャート及び／又はブロック図の１つ又は複数のブロックにおいて指定された機能／動作の態様を実施する命令を含む製品を含むようにすることもできる。
【００６２】
コンピュータ・プログラム命令を、コンピュータ、他のプログラム可能データ処理装置、又は他のデバイス上にロードして、一連の動作ステップをコンピュータ、他のプログラム可能データ処理装置、又は他のデバイス上で行わせてコンピュータ実施のプロセスを生産し、それにより、コンピュータ又は他のプログラム可能装置上で実行される命令が、フローチャート及び／又はブロック図の１つ又は複数のブロックにおいて指定された機能／動作を実行するためのプロセスを提供するようにすることもできる。
【００６３】
図面内のフローチャート及びブロック図は、本発明の様々な実施形態による、システム、方法、及びコンピュータ・プログラム製品の可能な実装の、アーキテクチャ、機能及び動作を示す。この点に関して、フローチャート内の各ブロックは、指定された論理機能を実装するための１つ又は複数の実行可能命令を含む、モジュール、セグメント、又はコードの一部を表すことができる。幾つかの代替的な実装において、ブロック内に示される機能は、図に示される順序とは異なる順序で生じることがある。例えば、連続して示される２つのブロックは、関与する機能に応じて、実際には実質的に同時に実行されることもあり、又はこれらのブロックはときとして逆順で実行されることもある。ブロック図及び／又はフローチャート図の各ブロック、及びブロック図及び／又はフローチャート図内のブロックの組み合わせは、指定された機能又は動作を実行する、又は専用のハードウェアとコンピュータ命令との組み合わせを実行する、専用ハードウェア・ベースのシステムによって実装できることにも留意されたい。
【００６４】
図１０は、特定の実施形態による、計算デバイス、電子デバイス、ＮＦＣ読取装置、車両内に取り付けられたデバイスを含むシステム１０００に含まれ得る特定の要素を示すブロック図を示す。システム１０００は、図１に示されるコンポーネント、又は図１に示されるシステムを含むことができる。システム１０００は、特定の実施形態において、少なくとも１つのプロセッサ１００４を含むことができる回路１００２を含むことができる。システム１０００はまた、メモリ１００６（例えば、揮発性メモリ・デバイス）及びストレージ１００８を含むこともできる。ストレージ１００８は、不揮発性メモリ・デバイス（例えば、ＥＥＰＲＯＭ、ＲＯＭ、ＰＲＯＭ、フラッシュ、ファームウェア、プログラム可能論理理等）、磁気ディスクドライブ、光ディスクドライブ、テープドライブ等を含むことができる。ストレージ１００８は、内部ストレージ・デバイス、アタッチト・ストレージ・デバイス、及び／又はネットワーク・アクセス可能ストレージ・デバイスを含むことができる。システム１０００は、メモリ１００６内にロードし、プロセッサ１００４若しくは回路１００２により実行することができるコード１０１２を含むプログラム論理１０１０を含むことができる。特定の実施形態において、コード１０１２を含むプログラム論理１０１０は、ストレージ１００８内に格納することができる。特定の他の実施形態において、プログラム論理１０１０は、回路１００２内に実装することができる。システム１０００内のコンポーネントの１つ又は複数は、バス又は他の結合又は接続１０１４を介して通信することができる。従って、図１０は、プログラム論理１０１０を他の要素とは別に示すが、プログラム論理１０１０は、メモリ１００６及び／又は回路１００２内に実装することができる。
【００６５】
特定の実施形態は、人によって、又はコンピュータ可読コードをコンピューティング・システムに統合する自動処理によって、コンピューティング命令をデプロイするための方法に向けられ、コードは、コンピューティング・システムと共に、説明される実施形態の動作を実施するようにイネーブルにされる。
【００６６】
「１つの実施形態」、「実施形態」、「（複数の）実施形態」、「その実施形態」、「（複数の）その実施形態」、「１つ又は複数の実施形態」、「幾つかの実施形態」及び「一実施形態」という用語は、特に明示的に断らない限り、本発明の１つ又は複数の（しかし、全てではない）実施形態を意味する。
【００６７】
「含んでいる（including）」、「備えている（comprising）」、「有している（having）」という用語及びその変形は、特に明示的に断らない限り、「含むが、それらに限定されない」ことを意味する。
【００６８】
項目の列挙リストは、特に明示的に断らない限り、項目のいずれか又は全てが相互排除的であることを意味しない。
【００６９】
「１つの（a）」、「１つの（an）」及び「その（the）」という用語は、特に明示的に断らない限り、「１つ又は複数（one or more）」を指す。
【００７０】
互いに通信するデバイスは、特に明示的に断りのない限り、互いに連続的に通信する必要はない。さらに、互いに通信するデバイスは、直接的に、又は１つ又は複数の中間物を介して間接的に通信することもある。
【００７１】
互いに通信する幾つかのコンポーネントを用いる１つの実施形態の説明は、全てのこうしたコンポーネントが必要であることを意味するものではない。これに反して、本発明の種々の可能な実施形態を示すために、様々な随意的なコンポーネントが説明される。
【００７２】
さらに、プロセス・ステップ、方法ステップ又はアルゴリズム等は、順番に説明されていることがあるが、そうしたプロセス、方法及びアルゴリズムは別の順番で動作するように構成することができる。換言すれば、説明され得るステップの何れのシーケンス又は順番も、必ずしも、ステップがその順番で実行されることの必要性を示すものではない。本明細書で説明されるプロセスのステップは、実際には任意の順番で実行することができる。さらに、幾つかのステップは同時に実行することができる。
【００７３】
本明細書において単一のデバイス又は物品が説明されている場合、単一のデバイス／物品の代わりに１つより多くのデバイス／物品（それらが協働してもしなくとも）を使用できることが容易に明らかになるであろう。同様に、本明細書で１つより多くのデバイス又は物品（それらが協働してもしなくとも）が説明されている場合、１つより多くのデバイス又は物品の代わりに単一のデバイス／物品を使用することができ、又は、示される数のデバイス又はプログラムの代わりに異なる数のデバイス／物品を使用することができることが容易に明らかであろう。デバイスの機能及び／又は特徴は、それら機能／特徴を有するように明示的に説明されていない１つ又は複数の他のデバイスによって代替的に具体化することができる。従って、本発明の他の実施形態は、そのデバイス自体を含む必要はない。
【００７４】
図に示されている少なくとも特定の動作は、特定のイベントが特定の順番で行われることを示す。代替的な実施形態においては、特定の動作は異なる順番で実行することができ、又は修正若しくは除去することができる。さらに、上述の論理にステップを付け加えて、それでもなお説明される実施形態に適合させることができる。さらに、本明細書で説明される動作は順次に行うことができ、又は特定の動作を並行して処理することができる。さらにまた、動作は単一の処理ユニットにより、又は分散処理ユニットによって実行することができる。
【００７５】
本発明の種々の実施形態の上記の説明は、例証及び説明のために提示されたものである。これは網羅的であること、又は本発明を開示された通りの形態に限定することを意図したものではない。上記の教示を考慮すれば、多くの修正及び変形が可能となる。本発明の範囲は、この詳細な説明ではなく、添付の特許請求の範囲によって限定されることが意図されている。上記の詳細な説明、実施例及びデータは、本発明の構成の製造及び使用の完全な説明を与える。本発明の範囲から逸脱することなく、本発明の多くの実施形態を作成することができるので、本発明は、添付の特許請求の範囲の中に存在する。
＊ＩＢＭ、ｚＳｅｒｉｅｓ、ｐＳｅｒｉｅｓ、ＢｌａｄｅＣｅｎｔｅｒ、ＷｅｂＳｐｈｅｒｅ及びＤＢ２、ＦｌａｓｈＣｏｐｙは、世界中の多数の管轄区域において登録されているインターナショナル・ビジネス・マシーンズ・コーポレーションの商標である。
【符号の説明】
【００７６】
１０：クラウド・コンピューティング・ノード
５０：クラウド・コンピューティング環境
６０：ハードウェア及びソフトウェア層
６２：仮想化層
６４：管理層
６６：ワークロード層
１００、１０００：システム
１０２：シートベルト・アセンブリ
１０４：シート
１０６、２０２、３０４、４０４：シートベルト
１０８、２０４：タング
１１０、２０６：バックル
１１２、１１４、１１６、２１０、３０２、４０２：ＮＦＣタグ
１１８、１２４、１２６、２０８：ＮＦＣ読取装置
１２０：前側
１２２：後側
１２８：計算デバイス
１００２：回路
１００４：プロセッサ
１００６：メモリ
１００８：ストレージ
１０１０：プログラム論理
１０１２：コード
【図１】
2021505461.tif 000003
【図２】
2021505461.tif 000004
【図３】
2021505461.tif 000005
【図４】
2021505461.tif 000006
【図５】
2021505461.tif 000007
【図６】
2021505461.tif 000008
【図７】
2021505461.tif 000009
【図８】
2021505461.tif 000010
【図９】
2021505461.tif 000011
【図１０】
2021505461.tif 000012
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
シートベルト・アセンブリ内の、識別情報を有するようにプログラムされた電子タグを、シートに組み込まれた電子デバイスを介して前記識別情報を読み取ることにより識別することと、
前記電子タグを識別することに応答して、乗員が前記乗員を前記シートに固定するように前記シートベルト・アセンブリのシートベルトを締結していないと判断することと、
を含む、方法。
【請求項２】
前記電子タグは、近距離無線通信（ＮＦＣ）タグであり、前記電子デバイスは、ＮＦＣ読取装置である、請求項１に記載の方法。
【請求項３】
前記方法は、
前記シートベルト・アセンブリのバックルに組み込まれたＮＦＣ読取装置により、前記シートベルト・アセンブリのタングに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項２に記載の方法。
【請求項４】
前記方法は、
前記シートベルト・アセンブリのタングに組み込まれたＮＦＣ読取装置により、前記シートベルト・アセンブリのバックルに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項２に記載の方法。
【請求項５】
前記方法は、
前記シートの背もたれの前面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項２に記載の方法。
【請求項６】
前記方法は、
前記シートの背もたれの後面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項２に記載の方法。
【請求項７】
前記方法は、
前記シートの背もたれに組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項２に記載の方法。
【請求項８】
識別情報を有するようにプログラムされ、シートベルト・アセンブリ内に取り付けられた電子タグと、
シートに組み込まれた、動作を実行する電子デバイスと、
を含み、前記動作は、
前記識別情報を読み取ることにより、前記電子タグを識別することと、
前記電子タグを識別することに応答して、乗員が前記乗員を前記シートに固定するように前記シートベルト・アセンブリのシートベルトを締結していないと判断することと、
を含む、システム。
【請求項９】
前記電子タグは、近距離無線通信（ＮＦＣ）タグであり、前記電子デバイスは、ＮＦＣ読取装置である、請求項８に記載のシステム。
【請求項１０】
前記動作は、
前記シートベルト・アセンブリのバックルに組み込まれたＮＦＣ読取装置により、前記シートベルト・アセンブリのタングに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項９に記載のシステム。
【請求項１１】
前記動作は、
前記シートベルト・アセンブリのタングに組み込まれたＮＦＣ読取装置により、前記シートベルト・アセンブリのバックルに組み込まれたＮＦＣタグが識別されなかったと判断することに応答して、前記乗員が前記乗員を前記シートに固定するように前記シートベルト・アセンブリの前記シートベルトを締結していないと判断することをさらに含む、請求項９に記載のシステム。
【請求項１２】
前記動作は、
前記シートの背もたれの前面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項９に記載のシステム。
【請求項１３】
前記動作は、
前記シートの背もたれの後面の１ｃｍ以内に組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項９に記載のシステム。
【請求項１４】
前記動作は、
前記シートの背もたれに組み込まれたＮＦＣ読取装置により、前記シートベルト・アセンブリの前記シートベルト内に取り付けられたＮＦＣタグが識別されたと判断することに応答して、前記乗員が前記乗員を前記シートに固定するように前記シートベルト・アセンブリの前記シートベルトを締結していないと判断することをさらに含む、請求項９に記載のシステム。
【請求項１５】
請求項１から請求項７までのいずれか１項に記載の方法をコンピュータに実行させるコンピュータ・プログラム。
【請求項１６】
請求項１５に記載のコンピュータ・プログラムを格納したコンピュータ可読ストレージ媒体。
【請求項１７】
メモリと、
前記メモリに結合されたプロセッサと、
を含み、前記プロセッサは請求項１から請求項７までのいずれか１項に記載の方法を実行する、システム。
【請求項１８】
シートと、
前記シートと組み合わされたシートベルト・アセンブリと、
識別情報を有するようにプログラムされ、前記シートベルト・アセンブリ内に取り付けられた電子タグと、
前記シートに組み込まれた、動作を実行する電子デバイスと、
を含み、前記動作は、
前記識別情報を読み取ることにより、前記電子タグを識別することと、
前記電子タグを識別することに応答して、乗員が前記乗員を前記シートに固定するように前記シートベルト・アセンブリのシートベルトを締結していないと判断することと、
を含む、車両。
【請求項１９】
前記電子タグは、近距離無線通信（ＮＦＣ）タグであり、前記電子デバイスは、ＮＦＣ読取装置である、請求項１８に記載の車両。
【手続補正３】
【補正対象書類名】明細書
【補正対象項目名】０００１
【補正方法】変更
【補正の内容】
【０００１】
実施形態は、シートベルトの確実な締結を検知するための方法、システム、コンピュータ・プログラム及び車両に関する。
【国際調査報告】
2021505461.tif 000013
2021505461.tif 000014